(57)【要約】【課題】視覚を通じて鑑賞の喜びが得られるだけではなく、身体の健康や爽快感などを通じても、鑑賞の喜びが得られ、さらに、これらの相乗効果により、鑑賞の喜びが満喫できる額縁を提供すること。【解決手段】マイナスイオン放出材を有することを特徴とする額縁、特に、額縁の枠体に、マイナスイオン放出材が塗布されていることを特徴とする額縁。さらに、額縁本体と基台とからなる基台付き額縁であって、額縁本体および／または基台が、マイナスイオン放出材を有することを特徴とする基台付き額縁。【選択図】図１
0003105205.tif 000002
【実用新案登録請求の範囲】
【請求項１】
マイナスイオン放出材を有することを特徴とする額縁。
【請求項２】
額縁の枠体に、マイナスイオン放出材が塗布されていることを特徴とする請求項１に記載の額縁。
【請求項３】
額縁本体と基台とからなる基台付き額縁であって、額縁本体および／または基台が、マイナスイオン放出材を有することを特徴とする基台付き額縁。
【請求項４】
基台に、マイナスイオン放出材が収納されたマイナスイオン放出材収納容器が設けられていることを特徴とする請求項３に記載の基台付き額縁。
【考案の詳細な説明】
【技術分野】
【０００１】
本考案は、マイナスイオン放出材を有する額縁に関する。
【背景技術】
【０００２】
額縁は、絵画や写真等の鑑賞対象物を収容して、視覚を通じて人の感情に訴えて楽しまれるものである。しかし、身体の調子が優れない場合には、絵画や写真等を鑑賞しても、鑑賞者は、その喜びを十分に満喫させることができないことや、逆に身体の調子が良い場合や爽快感などが得られている場合には、絵画や写真等の鑑賞による喜びを十分に満喫させることができることは、多くの経験者の知るところである。
【０００３】
一方、近年、社会生活の高度化により、空気中のプラスイオン濃度が高くなり易い傾向にある。空気中のプラスイオン濃度が高くなると、自律神経が失調状態となり、細胞膜における新陳代謝が低下し、肩こり、眩暈、耳鳴りなどの感覚障害、頭痛、集中力の欠如、倦怠感などの心身症の発生、さらに甚だしいときには神経痛、ノイローゼ、臓器不全など、健康にとって悪影響を及ぼす。
【０００４】
しかし、従来の額縁は、このような身体の調子ないし健康という観点からの配慮はなされていなかった。
【考案の開示】
【考案が解決しようとする課題】
【０００５】
上記の実情に鑑み、本考案は、視覚を通じて鑑賞の喜びが得られるだけではなく、身体の健康や爽快感などを通じても、鑑賞の喜びが得られ、さらに、これらの相乗効果により、鑑賞の喜びが満喫できる額縁を提供することを課題とする。
【課題を解決するための手段】
【０００６】
請求項１の考案は、マイナスイオン放出材を有することを特徴とする額縁である。
【０００７】
請求項２の考案は、額縁の枠体に、マイナスイオン放出材が塗布されていることを特徴とする請求項１に記載の額縁である。
【０００８】
請求項３の考案は、額縁本体と基台とからなる基台付き額縁であって、額縁本体および／または基台が、マイナスイオン放出材を有することを特徴とする基台付き額縁である。
【０００９】
請求項４の考案は、基台に、マイナスイオン放出材が収納されたマイナスイオン放出材収納容器が設けられていることを特徴とする請求項３に記載の基台付き額縁である。
【考案の効果】
【００１０】
本考案の額縁は、マイナスイオン放出材を有している。プラスイオン雰囲気を緩和するマイナスイオンは、沈静的な作用を有し、沈痛、快眠、鎮咳、制汗、食欲増進、血圧降下、爽快感、疲労防止等の効果を有する。このため、鑑賞者は、マイナスイオンが放出された環境下において、絵画、写真などを楽しむことができ、視覚を通じて鑑賞の喜びが得られるだけではなく、身体の健康や爽快感などを通じても、鑑賞の喜びが得られ、さらに、これらの相乗効果により、鑑賞の喜びが満喫できる。
【００１１】
パソコンが並んだオフィスや、電子ジャー、電子レンジ、冷蔵庫などの電子機器が並んだキッチンでは、プラスイオンがマイナスイオンの１．５倍、地下街は通気が悪く、照明やエアコンの影響もあり、プラスイオンがマイナスイオンの約２倍存在するという報告があり、このような環境下でのマイナスイオンの役割は大きい。
【００１２】
本考案の基台付き額縁は、額縁本体および／または基台が、マイナスイオン放出材を有している。
【００１３】
この場合において、マイナスイオン放出材が、額縁本体および基台に設けられている場合には、マイナスイオン放出量が多く、高いマイナスイオン効果を得ることができる。
【００１４】
一方、マイナスイオン放出材が、基台にのみ設けられている場合には、装飾性の高い額縁本体にマイナスイオン放出材を設けることによる装飾性の低下の恐れを排除することができる。また、額縁本体としては、従来の通常の額縁本体を使用することができるため、製造が容易であり、また従来の通常の額縁本体を本考案に転用することも可能であり、コストを抑制することができる。
【００１５】
また、本考案の基台付き額縁は、その販売状況により、マイナスイオン放出材が設けられた額縁本体および基台、マイナスイオン放出材が設けられていない額縁本体および基台の組み合わせを、適宜変えることにより、マイナスイオン放出材が設けられていない従来の額縁として、あるいは従来の基台付き額縁として販売するなどにより、過剰生産によるリスクを低減させることができる。
【００１６】
さらに、基台に、マイナスイオン放出材が収納されたマイナスイオン放出材収納容器が設けられている基台付き額縁は、マイナスイオン放出材を塗布する必要がなく、またマイナスイオン放出材の量を容易に確認、調整することができ、また必要に応じて、種類の異なるマイナスイオン放出材に交換することが可能である。
【考案を実施するための最良の形態】
【００１７】
図１は、本考案の基台付き額縁の一例の斜視図である。１は額縁本体、２は額縁本体１の枠体、３は基台である。
【００１８】
額縁本体１の枠体２および基台３には、トルマリン塗料が塗布されている。
【００１９】
額縁本体１の枠体２および基台３に塗布されるマイナスイオン放出材は、マイナスイオンを放出できるものであればよく、特に制限されない。
【００２０】
このようなマイナスイオン放出材としては、天然鉱石が挙げられ、特にトルマリン、チタン、ゲルマニウム、ラジウム、ゼオライト、医王石などが挙げられるが、コスト、マイナスイオン放出度などから、一般的には、トルマリンを用いることが好ましい。
【００２１】
額縁本体１の枠体２および基台３にマイナスイオン放出材を設ける方法についても、特に制限されない。
【００２２】
額縁本体１の枠体２および基台３にマイナスイオン放出材を設ける方法としては、マイナスイオン放出材、例えば、トルマリンの粉末を含有させたトルマリン塗料を、額縁本体１の枠体２および基台３の表面全面、または一部、例えば、額縁本体１の枠体２の側面部および基台３上面にのみ塗布する方法が挙げられる。
【００２３】
マイナスイオン放出材を設ける他の方法としては、基台３にマイナスイオン放出材収納容器を設け、前記マイナスイオン放出材収納容器内にマイナスイオンを放出する天然鉱石、例えばトルマリンの欠片を収容する方法が挙げられる。
【００２４】
前記の方法の場合、使用者の好みに応じて、種類の異なるマイナスイオン放出材に容易に交換することが可能である。
【００２５】
前記のマイナスイオン放出材収納容器は、ガラス製、プラスチック製など特に制限されることはなく、強度、製造の容易性、コスト、装飾性などを考慮して決められる。
【００２６】
前記の方法に用いる基台３の材質は、木製、樹脂製など特に制限されないが、木製の場合には、前記マイナスイオン放出材収納容器を収納する穴を設けることが容易であるので好ましい。
【００２７】
マイナスイオン放出材収納容器は、基台３上面の後方、即ち、額縁本体１の背面側に設けることにより、絵画、写真などの鑑賞者の目の入らなくなり、鑑賞への妨げを防止することができる。一方、マイナスイオン放出材収納容器を基台３上面の前方、即ち、額縁本体１の正面側に設けることにより、マイナスイオンを放出する天然鉱石や、マイナスイオン放出材収納容器も、装飾用品として楽しむことができる。
【００２８】
なお、図１においては、額縁本体１の枠体２および基台３に、トルマリン塗料が塗布されているが、いずれか一方のみに塗布されているだけでもよい。基台３にのみトルマリン塗料が塗布されている場合は、製品の販売状況により、額縁本体１を基台３を付けずに、トルマリン塗料が塗布されていない通常の額縁として販売することが可能であり、過剰生産に容易に対応することができる。
【００２９】
また、額縁本体１の枠体２の材質、マイナスイオン放出材の種類、あるいはマイナスイオン塗料の溶剤の種類などにより、マイナスイオン放出材の塗布により、材質の装飾性に好ましくない影響が出る恐れがある場合には、額縁本体１の枠体２の背面部のみに、マイナスイオン放出材を塗布することなどにより、このような問題を避けることができる。
【図面の簡単な説明】
【００３０】
【図１】本考案の基台付き額縁の一例の斜視図である。
【符号の説明】
【００３１】
１  額縁本体
２  額縁本体の枠体
３  基台
【図１】
0003105205.tif 000003